【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
ストレージ装置とシステム装置との間の通信を提供するように構成されるストレージインターフェイスと、
前記ストレージ装置に含まれ、前記ストレージインターフェイスと接合されるストレージコントロールユニットと、
前記システム装置と前記ストレージ装置との間の前記ストレージインターフェイスの入出力の使用に基づき、データを前記ストレージ装置によって処理される第１部分データと、前記システム装置によって処理される第２部分データとに分割して、分散機械学習プロセスを実施するための前処理ブロックと、
前記分散機械学習プロセスの一部として、前記第１部分データを処理するための学習ブロックと、を有することを特徴とする電子システム。
【請求項２】
前記ストレージコントロールユニットは、適応的な前処理ブロックを実行するように構成されることを特徴とする請求項１に記載の電子システム。
【請求項３】
前記ストレージコントロールユニットは、プログラミングインターフェイスを実行するように構成されることを特徴とする請求項１に記載の電子システム。
【請求項４】
前記ストレージコントロールユニットは、スケジュールブロックを実行するように構成されることを特徴とする請求項１に記載の電子システム。
【請求項５】
前記ストレージコントロールユニットは、選択ブロックを実行するように構成されることを特徴とする請求項１に記載の電子システム。
【請求項６】
前記ストレージコントロールユニットは、スキャン及び選択ブロックを実行するように構成されることを特徴とする請求項１に記載の電子システム。
【請求項７】
前記入出力の使用に基づいて前記データを分割するための前記前処理ブロックは、前記入出力の飽和に基づいて分割することを特徴とする請求項１に記載の電子システム。
【請求項８】
電子システムの動作方法において、
ストレージ装置に含まれるストレージコントロールユニットと、システム装置と前記ストレージ装置との間のストレージインターフェイスの入出力の使用に基づき、データを前記ストレージ装置によって処理される第１部分データと、前記システム装置によって処理される第２部分データとに分割して、分散機械学習プロセスを実施するための前処理ブロックと、で前記データを分割する段階と、
前記第２部分データを前記システム装置に分配し、前記第１部分データを前記ストレージ装置の学習ブロックに分配する段階と、を有し、
前記学習ブロックは、前記分散機械学習プロセスの一部を実行することを特徴とする電子システムの動作方法。
【請求項９】
前記データを分割する段階は、前記ストレージコントロールユニットで適応的な前処理ブロックを実行する段階を含むことを特徴とする請求項８に記載の電子システムの動作方法。
【請求項１０】
前記データを分割する段階は、前記ストレージコントロールユニットでプログラミングインターフェイスを実行する段階を含むことを特徴とする請求項８に記載の電子システムの動作方法。
【請求項１１】
前記分散機械学習プロセスは、前記ストレージコントロールユニットでスケジューラーブロックを実行する段階を含むことを特徴とする請求項８に記載のメモリシステムの動作方法。
【請求項１２】
前記データを分割する段階は、前記ストレージコントロールユニットで選択ブロックを実行する段階を含むことを特徴とする請求項８に記載の電子システムの動作方法。
【請求項１３】
前記データを分割する段階は、前記ストレージコントロールユニットでスキャン及び選択ブロックを実行する段階を含むことを特徴とする請求項８に記載の電子システムの動作方法。
【請求項１４】
前記データを分割する段階は、前記入出力の使用に基づき、前記入出力の飽和に基づいて分割することを特徴とする請求項８に記載の電子システムの動作方法。
【請求項１５】
コントロールユニットによって実行される命令語が格納された不揮発性のコンピュータ読取可能ストレージ媒体において、
ストレージ装置に含まれるストレージコントロールユニットと、システム装置と前記ストレージ装置との間のストレージインターフェイスの入出力の使用に基づき、データを前記ストレージ装置によって処理される第１部分データと、前記システム装置によって処理される第２部分データとに分割して、分散機械学習プロセスを実施するための前処理ブロックと、で前記データを分割する動作と、
前記第２部分データを前記システム装置に分配し、前記第１部分データを前記ストレージ装置の学習ブロックに分配する動作と、を実行するようにし、
前記学習ブロックは、前記分散機械学習プロセスの一部を実行するようにしたことを特徴とする不揮発性コンピュータ読取可能ストレージ媒体。
【請求項１６】
前記データを分割する動作は、前記ストレージコントロールユニットで適応的な前処理ブロックを実行する動作を含むことを特徴とする請求項１５に記載の不揮発性コンピュータ読取可能ストレージ媒体。
【請求項１７】
前記データを分割する動作は、前記ストレージコントロールユニットでプログラミングインターフェイスを実行する動作を含むことを特徴とする請求項１５に記載の不揮発性コンピュータ読取可能ストレージ媒体。
【請求項１８】
前記分散機械学習プロセスは、前記ストレージコントロールユニットでスケジュールブロックを実行する動作を含むことを特徴とする請求項１５に記載の不揮発性コンピュータ読取可能ストレージ媒体。
【請求項１９】
前記データを分割する動作は、前記ストレージコントロールユニットで選択ブロックを実行する動作を含むことを特徴とする請求項１５に記載の不揮発性コンピュータ読取可能ストレージ媒体。
【請求項２０】
前記データを分割する動作は、前記ストレージコントロールユニットでスキャン及び選択ブロックを実行する段階を含むことを特徴とする請求項１５に記載の不揮発性コンピュータ読取可能ストレージ媒体。
【請求項２１】
前記データを分割する動作は、前記入出力の使用に基づき、前記入出力の飽和に基づいて分割することを特徴とする請求項１５に記載の不揮発性コンピュータ読取可能ストレージ媒体。
【手続補正２】
【補正対象書類名】明細書
【補正対象項目名】０００７
【補正方法】変更
【補正の内容】
【０００７】
上記目的を達成するためになされた本発明による電子システムは、ストレージ装置とシステム装置との間の通信を提供するように構成されるストレージインターフェイスと、前記ストレージ装置に含まれ、前記ストレージインターフェイスと接合されるストレージコントロールユニットと、前記システム装置と前記ストレージ装置との間の前記ストレージインターフェイスの入出力の使用に基づき、データを前記ストレージ装置によって処理される第１部分データと、前記システム装置によって処理される第２部分データとに分割して、分散機械学習プロセスを実施するための前処理ブロックと、前記分散機械学習プロセスの一部として、前記第１部分データを処理するための学習ブロックと、を有することを特徴とする。
【手続補正３】
【補正対象書類名】明細書
【補正対象項目名】０００８
【補正方法】変更
【補正の内容】
【０００８】
上記目的を達成するためになされた本発明による電子システムの動作方法は、ストレージ装置に含まれるストレージコントロールユニットと、システム装置と前記ストレージ装置との間のストレージインターフェイスの入出力の使用に基づき、データを前記ストレージ装置によって処理される第１部分データと、前記システム装置によって処理される第２部分データとに分割して、分散機械学習プロセスを実施するための前処理ブロックと、で前記データを分割する段階と、前記第２部分データを前記システム装置に分配し、前記第１部分データを前記ストレージ装置の学習ブロックに分配する段階と、を有し、前記学習ブロックは、前記分散機械学習プロセスの一部を実行することを特徴とする。
【手続補正４】
【補正対象書類名】明細書
【補正対象項目名】０００９
【補正方法】変更
【補正の内容】
【０００９】
上記目的を達成するためになされた本発明による不揮発性コンピュータ読取可能ストレージ媒体は、ココントロールユニットによって実行される命令語が格納された不揮発性のコンピュータ読取可能ストレージ媒体において、ストレージ装置に含まれるストレージコントロールユニットと、システム装置と前記ストレージ装置との間のストレージインターフェイスの入出力の使用に基づき、データを前記ストレージ装置によって処理される第１部分データと、前記システム装置によって処理される第２部分データとに分割して、分散機械学習プロセスを実施するための前処理ブロックと、で前記データを分割する動作と、前記第２部分データを前記システム装置に分配し、前記第１部分データを前記ストレージ装置の学習ブロックに分配する動作と、を実行するようにし、前記学習ブロックは、前記分散機械学習プロセスの一部を実行するようにしたことを特徴とする。